(57)【要約】【課題】安全かつ確実な電子データの送受信を行なうことができる、簡易に構築した電子データ送受信システムを提供する。【解決手段】公開鍵暗号化で使用される１対の公開鍵と秘密鍵とを記憶した無線タグ４１入りの記録紙４０を用意しておく。受信装置２０ａは、記録紙４０の無線タグ４１から読み出した公開鍵を送信装置２０ｂに送信し、送信装置２０ｂは受信した公開鍵で平文を暗号化した暗号文を受信装置２０ａへ送信する。受信装置２０ａは、記録紙４０の無線タグ４１から読み出した秘密鍵で暗号文を復号化する。【選択図】図３
2006100916.tif 000002
【特許請求の範囲】
【請求項１】
送信装置と受信装置とからなる電子データ送受信システムにおいて、
公開鍵暗号化で使用される１対の公開鍵と秘密鍵とを記憶した無線タグ入りの記録紙を用意しておき、
受信装置は、
前記記録紙の無線タグから１対の公開鍵と秘密鍵とを読み出す無線タグ読取手段と、
前記無線タグ読取手段が読み出した公開鍵を送信装置に送信する公開鍵送信手段と、
前記送信装置から暗号文を受信する暗号文受信手段と、
前記暗号文受信手段が受信した暗号文を前記記録紙の無線タグから読み出した秘密鍵で復号化する復号化手段と
を有し
送信装置は、
前記受信装置から公開鍵を受信する公開鍵受信手段と、
前記公開鍵受信手段の受信した公開鍵で平文を暗号化する暗号化手段と、
前記暗号化手段で暗号化した暗号文を前記公開鍵の送信元の受信装置へ送信する暗号文送信手段と
を有する
ことを特徴とする電子データ送受信システム。
【請求項２】
受信装置は、前記復号化手段が復号化した平文を、前記復号化で使用した秘密鍵の読み出された無線タグ入りの記録紙に印刷する印刷手段を有する
ことを特徴とする請求項１に記載の電子データ送受信システム。
【請求項３】
送信装置と受信装置とからなる電子データ送受信システムにおいて、
公開鍵暗号化で使用される１対の公開鍵と秘密鍵とを記憶した無線タグ付きの原稿を用意しておき、
送信装置は、
前記原稿の無線タグから１対の公開鍵と秘密鍵とを読み出す無線タグ読取手段と、
前記原稿を読み取って対応する画像データを取得する画像読取手段と、
前記無線タグ読取手段が読み出した秘密鍵で前記画像データを暗号化する暗号化手段と、
前記暗号化手段で暗号化した暗号文と前記無線タグ読取手段が読み出した前記公開鍵とを受信装置に送信する送信手段と、
を有し
受信装置は、
前記送信装置から暗号文および公開鍵を受信する受信手段と、
前記受信手段の受信した暗号文を前記受信手段の受信した前記公開鍵で復号化する復号化手段と
を有する
ことを特徴とする電子データ送受信システム。
【請求項４】
記録紙に付加されている無線タグから公開鍵暗号化で使用される１対の公開鍵と秘密鍵とを読み出す無線タグ読取手段と、
前記無線タグ読取手段が読み出した公開鍵を所定の送信装置に送信する公開鍵送信手段と、
前記送信装置から暗号文を受信する暗号文受信手段と、
前記暗号文受信手段が受信した暗号文を前記記録紙の無線タグから読み出した秘密鍵で復号化する復号化手段と、
前記復号化手段が復号化した平文を、前記復号化で使用した秘密鍵の読み出された無線タグ入りの記録紙に印刷する印刷手段と
を有する
ことを特徴とする印刷装置。
【請求項５】
原稿に付加されている無線タグから公開鍵暗号化で使用される１対の公開鍵と秘密鍵とを読み出す無線タグ読取手段と、
前記セットされた原稿の画像を読み取って対応する画像データを出力する画像読取手段と、
前記無線タグ読取手段が読み出した秘密鍵で前記画像データを暗号化する暗号化手段と、
前記暗号化手段で暗号化して得た暗号文と前記無線タグ読取手段が読み出した前記公開鍵とを受信装置に送信する送信手段と
を有する
ことを特徴とする原稿読取装置。
【発明の詳細な説明】
【技術分野】
【０００１】
本発明は、送信装置と受信装置とからなる電子データ送受信システムに関する。
【背景技術】
【０００２】
通信を介して特定の相手だけが受信可能にデータを送信するための技術の１つとして、受信したデータが印刷される用紙をＩＣチップの埋め込まれた専用用紙に限定した電子データ送受信システムが提案されている。このシステムでは、ＩＣチップに書き込んであるＩＤ情報をＩＤ情報管理センターに登録しておき、このＩＣチップ付きの専用用紙を発行する。利用者がサービスを受ける場合には、この専用用紙を購入して、たとえば、駅構内の売店に設置されたＩＣチップ読取機付プリンタにセットする。読取機付プリンタは、専用用紙に付いているＩＣチップの情報を読み取って、インターネットを介してＩＤ情報管理センターに問い合わせ、その用紙が未使用であることなどの用紙の信頼性を確認し、その確認後に、必要な情報を用紙に印刷するようになっている（たとえば、特許文献１参照。）。
【０００３】
【特許文献１】特開２００２−３４２５１９号公報
【発明の開示】
【発明が解決しようとする課題】
【０００４】
上記電子データ送受信システムでは、ＩＣチップに書き込まれているＩＤ情報を予めＩＤ情報管理センターに登録し管理しなければならず、実際の運用に手間が掛かるとともに、比較的大規模なシステム構成になるという問題点があった。
【０００５】
本発明は、上記の問題を解決しようとするものであり、受信者あるいは送信者を特定してデータを安全確実に送受信することのできる簡易な構成の電子データ送受信システムおよび印刷装置、原稿読取装置を提供することを目的としている。
【課題を解決するための手段】
【０００６】
請求項１に係わる発明は、送信装置と受信装置とからなる電子データ送受信システムにおいて、
公開鍵暗号化で使用される１対の公開鍵と秘密鍵とを記憶した無線タグ入りの記録紙を用意しておき、
受信装置は、
前記記録紙の無線タグから１対の公開鍵と秘密鍵とを読み出す無線タグ読取手段と、
前記無線タグ読取手段が読み出した公開鍵を送信装置に送信する公開鍵送信手段と、
前記送信装置から暗号文を受信する暗号文受信手段と、
前記暗号文受信手段が受信した暗号文を前記記録紙の無線タグから読み出した秘密鍵で復号化する復号化手段と
を有し
送信装置は、
前記受信装置から公開鍵を受信する公開鍵受信手段と、
前記公開鍵受信手段の受信した公開鍵で平文を暗号化する暗号化手段と、
前記暗号化手段で暗号化した暗号文を前記公開鍵の送信元の受信装置へ送信する暗号文送信手段と
を有する
ことを特徴とする電子データ送受信システムである。
【０００７】
上記発明によれば、セットされた記録紙の無線タグから公開鍵を無線タグ読取手段によって読み出す。読み出した公開鍵を受信装置から送信装置に送信する。送信装置は、公開鍵で平文を暗号化して暗号文にする。その暗号文を送信装置から受信装置に送信し、受信装置は、受信した暗号文を先の記録紙の無線タグから無線タグ読取手段によって読み出した秘密鍵で復号化して平文にする。
【０００８】
この平文を、たとえば、システムを構築する端末装置に表示し、あるいは記憶装置に記憶するようにしてもよい。また、記録紙に付加される無線タグに記憶する１対の公開鍵と秘密鍵とを記録紙毎に相違させるようにする。それにより、１つの記録紙に係わる１対の公開鍵と秘密鍵とが漏洩しても、その公開鍵で暗号化した暗号文の機密性が失われるのみで、他の公開鍵で暗号化した暗号文の機密性は失われず、漏洩による被害を最小限に抑えることができる。また、ランダムに生成した１対の公開鍵と秘密鍵とを無線タグに記録すればよい。
【０００９】
請求項２に係わる発明は、受信装置は、前記復号化手段が復号化した平文を、前記復号化で使用した秘密鍵の読み出された無線タグ入りの記録紙に印刷する印刷手段を有する
ことを特徴とする請求項１に記載の電子データ送受信システムである。
【００１０】
上記発明によれば、無線タグ読取手段にセットされている記録紙に、印刷手段によって平文が印刷される。そのセットされた記録紙の位置を印刷手段の印刷開始位置にすれば、記録紙をセットし直すことなく印刷される。また、セットされた記録紙を所定の搬送機構により印刷手段の印刷開始位置に移動し、移動した後の記録紙に印刷するようにしてもよい。復号化した平文が印刷される記録紙をその復号化に使用した秘密鍵が読み出された無線タグの付加されている記録紙のみに制限するように構成してもよい。
【００１１】
請求項３に係わる発明は、送信装置と受信装置とからなる電子データ送受信システムにおいて、
公開鍵暗号化で使用される１対の公開鍵と秘密鍵とを記憶した無線タグ付きの原稿を用意しておき、
送信装置は、
前記原稿の無線タグから１対の公開鍵と秘密鍵とを読み出す無線タグ読取手段と、
前記原稿を読み取って対応する画像データを取得する画像読取手段と、
前記無線タグ読取手段が読み出した秘密鍵で前記画像データを暗号化する暗号化手段と、
前記暗号化手段で暗号化した暗号文と前記無線タグ読取手段が読み出した前記公開鍵とを受信装置に送信する送信手段と、
を有し
受信装置は、
前記送信装置から暗号文および公開鍵を受信する受信手段と、
前記受信手段の受信した暗号文を前記受信手段の受信した前記公開鍵で復号化する復号化手段と
を有する
ことを特徴とする電子データ送受信システムである。
【００１２】
上記発明によれば、セットされた原稿の無線タグから公開鍵と秘密鍵とを読み出す。原稿から取得された画像データを、読み出された秘密鍵で暗号化して暗号文にする。この暗号文と無線タグから読み出した公開鍵とを送信装置から受信装置に送信する。受信装置は、受信した公開鍵を用いて暗号文を復号化する。
【００１３】
公開鍵と秘密鍵とが読み出される原稿の位置を、画像読取手段の読取位置にすれば、原稿をセットし直すことなく、その原稿から鍵の読み取りと画像データの読み取りが可能になる。セットされた原稿を所定の搬送機構により画像読取手段の読取開始位置に移動し、移動した後の原稿から画像データを取得するようにしてもよい。
【００１４】
請求項４に係わる発明は、記録紙に付加されている無線タグから公開鍵暗号化で使用される１対の公開鍵と秘密鍵とを読み出す無線タグ読取手段と、
前記無線タグ読取手段が読み出した公開鍵を所定の送信装置に送信する公開鍵送信手段と、
前記送信装置から暗号文を受信する暗号文受信手段と、
前記暗号文受信手段が受信した暗号文を前記記録紙の無線タグから読み出した秘密鍵で復号化する復号化手段と、
前記復号化手段が復号化した平文を、前記復号化で使用した秘密鍵の読み出された無線タグ入りの記録紙に印刷する印刷手段と
を有する
ことを特徴とする印刷装置である。
【００１５】
上記発明によれば、無線タグ読取手段が読み出した公開鍵を所定の送信装置に送信する。送信装置側は、その公開鍵を用いて平文を暗号化して暗号文にする。その暗号文を送信装置から受信する。その暗号文を、記録紙の無線タグから読み出した秘密鍵で復号化して平文にし、無線タグ読取手段にセットされている記録紙に平文を印刷する。
【００１６】
印刷するために印刷手段にセットされている記録紙の位置と、無線タグ読取手段にセットされている記録紙の位置とを同一にして、無線タグ読取手段にセットされている記録紙にそのまま平文を印刷するようにしてもよい。
【００１７】
請求項５に係わる発明は、原稿に付加されている無線タグから公開鍵暗号化で使用される１対の公開鍵と秘密鍵とを読み出す無線タグ読取手段と、
前記セットされた原稿の画像を読み取って対応する画像データを出力する画像読取手段と、
前記無線タグ読取手段が読み出した秘密鍵で前記画像データを暗号化する暗号化手段と、
前記暗号化手段で暗号化して得た暗号文と前記無線タグ読取手段が読み出した前記公開鍵とを受信装置に送信する送信手段と
を有する
ことを特徴とする原稿読取装置である。
【００１８】
上記発明によれば、原稿の画像を読み取り、その原稿の無線タグから無線タグ読取手段が読み出した秘密鍵でその原稿の画像データを暗号化する。暗号化して得た暗号文と無線タグ読取手段が読み出した公開鍵とを受信装置に送信する。受信装置は、公開鍵で復号化した平文と、原稿読取装置から別途受信した暗号化されない平文とを比較あるいはそれらのハッシュ値を比較することで、受信した暗号文の改竄有無を検証することができる。
【発明の効果】
【００１９】
本発明に係わる電子データ送受信システムによれば、受信装置側で記録紙の無線タグから読み出した公開鍵を送信装置側に送信し、送信装置がその公開鍵で平文を暗号化した暗号文を受信装置へ送信し、これを受信した受信装置が先の記録紙の無線タグから読み出した秘密鍵でその暗号文を復号化するので、仮に、暗号文や公開鍵が漏洩しても、復号化に必要な秘密鍵がないために暗号文を復号化することは不可能であり、安全かつ確実な電子データの送受信を行なうことができる。
また、暗号化に使用する鍵情報を記録紙から入手するので、鍵情報の入手に困難性がないとともに、ユーザは暗号化を意識することなく安全にデータを送受信することができる。さらに、ユーザが鍵情報を直接取り扱うことがないので、鍵情報の漏洩する可能性が低い。
【００２０】
無線タグ読取手段により無線タグから読み出された秘密鍵を使用して復号化した平文を、無線タグ読取手段にセットされている記録紙に印刷するものでは、平文が印刷される記録紙を、無線タグ入りの記録紙に限定することができる。
【００２１】
セットされた原稿の無線タグから公開鍵と秘密鍵とを読み出し、原稿から取得された画像データを、その原稿の無線タグから読み出した秘密鍵で暗号化して暗号文にし、公開鍵と暗号文とを送信装置から受信装置に送信し、これらを受信した受信装置が暗号文を公開鍵で復号化するものでは、復号化された原稿は、送信された公開鍵と対になる秘密鍵によって暗号化された原稿であることを確認でき、送信元および改竄のないことを証明することができる。また、暗号化に使用する鍵情報を原稿の無線タグから入手するので、鍵情報の入手に困難性がない。
【発明を実施するための最良の形態】
【００２２】
以下、図面に基づき本発明の実施の形態を説明する。
【００２３】
図１は、本発明の実施の形態に係わる電子データ送受信システムのシステム構成を示している。電子データ送受信システム１０は、複合機２０と、情報処理装置１３とから構成される。情報処理装置１３は、パーソナルコンピュータや文書サーバなどで構成される。複合機２０は、電子データ送受信システム１０における送信装置、受信装置、原稿読取装置、印刷装置のいずれかの機能を果たし、情報処理装置１３は、送信装置としての機能を果たす。複合機２０と情報処理装置１３とはＬＡＮ（ローカル・エリア・ネットワーク）１４を介してインターネット１５に接続されている。複合機２０と情報処理装置１３とを接続するネットワークは、他の種類でもかまわない。
【００２４】
複合機２０は、原稿画像を読み取るスキャナ機能、原稿画像を読み取ってその複製画像を記録紙上に形成するコピー機能、印刷データに対応する画像を記録紙上に形成するプリンタ機能、原稿画像を送信するファクシミリ機能などを備えている。
【００２５】
図２は、複合機２０の構成を示している。複合機２０は、その動作を統括制御する制御部としてのＣＰＵ（中央処理装置）２１と、ＲＯＭ（リード・オンリ・メモリ）２２と、ＲＡＭ（ランダム・アクセス・メモリ）２３とを主要部とした回路で構成されている。ＲＯＭ２２は、ＣＰＵ２１が実行するプログラム、秘密鍵で暗号文を復号化するためのプログラム（復号化手段）、公開鍵で平文を暗号化するためのプログラム（暗号化手段）、や各種固定データを記憶している。ＲＡＭ２３は、ＣＰＵ２１がプログラムを実行する際に各種データを一時的に格納するワークメモリや、回転処理などを施すために画像データを少なくとも１ページ分格納するページメモリとして機能する。
【００２６】
読取部２４は、原稿画像を読み取って対応する画像データを取り込む機能を果たす。読取部２４は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００２７】
記録部２５は、画像データに対応する画像を電子写真プロセスによって記録紙上に形成して出力する機能を果たす。記録部２５は、記録紙の搬送装置と、感光体ドラムと、帯電装置と、レーザーユニットと、現像装置と、転写分離装置と、クリーニング装置と、定着装置とを有する、いわゆるレーザープリンタとして構成されている。ファクシミリ部２６は、読取部２４や記録部２５を制御して複合機２０をファクシミリ装置として動作させる機能を果たす。詳細には、画像データをファクシミリに対応した圧縮方式で圧縮・伸張する機能や、ファクシミリ送受信のための各種通信手順を制御する機能を果たす。
【００２８】
表示部２７は、液晶ディスプレイで構成され、各種の案内情報や状態情報を表示する。操作部２８は、表示部２７の画面に設けたタッチパネルやその他のスイッチで構成されている。画像処理部２９は、画像データを圧縮・伸張する機能や画像を拡大・縮小する機能、画像を回転させる機能、画像を縮小して複数ページ分を１ページに配列する「Ｎイン１」機能などを果たす。ネットワークＩ／Ｆ部３０は、ＬＡＮやインターネットを通じて、情報処理装置１３、その他の外部装置と通信する機能を果たす。
【００２９】
また、ネットワークＩ／Ｆ部３０は、外部装置から暗号文を受信する暗号文受信手段、外部装置へ暗号文を送信する暗号文送信手段、外部装置へ公開鍵を送信する公開鍵送信手段、外部装置から公開鍵を受信する公開鍵受信手段としての機能を果たす。
【００３０】
無線タグリーダ３１は、記録紙４０に付加された無線タグ４１と通信するためのアンテナであり、記録紙トレイ、たとえば、手差しトレイの近傍に設置される。無線制御部３２は、無線タグリーダ３１を通じて無線タグ４１とデータを送受信したり無線タグ４１に電力供給したりするための通信制御を行なう。無線タグリーダ３１と無線制御部３２とは無線タグ読取手段としての機能を果たす。
【００３１】
無線タグ４１は、無線通信機能を備えた電子荷札であり、外部から電磁的に電力の供給を受けて動作するＩＣチップとアンテナとを内蔵している。無線タグ４１は、ＲＦＩＤ（Radio Frequency IDentification、電波方式非接触識別）方式を使用している。無線タグ４１のＩＣチップは、不揮発性メモリを内蔵し、これに記憶されているデータ（タグ情報）を読み出して無線送信する機能を備えている。記録紙４０に付加された無線タグ４１には、公開鍵暗号化方式の暗号化で使用する一対の公開鍵と秘密鍵とが予め記憶されている。一対の公開鍵と秘密鍵は記録紙毎に相違し、各記録紙に固有の鍵になっている。このほか、無線タグ４１には、固有のＩＤ情報（識別情報）が読み出し可能に記憶されている。
【００３２】
複合機２０は、読取部２４で読み取る原稿５０を載置するための原稿台（図示省略）を備えており、無線タグリーダ３３は、原稿台に載置された原稿５０の無線タグ５１と通信可能なように、原稿台の近傍にも配置されている。たとえば、原稿台が有するプラテンガラス（同じく図示省略）の内側であって露光走査の邪魔にならない位置に配置される。
【００３３】
図３は、記録紙４０に付加された無線タグ４１から公開鍵暗号化で使用される１対の公開鍵と秘密鍵とを読み出し、その公開鍵と秘密鍵とを用いた電子データの送受信の動作を示している。ここでは受信側に複合機２０ａを、送信側に複合機２０ｂを使用している。送信側は情報処理端末１３でもかまわない。
受信側の複合機２０ａは、無線タグ読取手段にセットされている記録紙４０の無線タグ４１から無線タグ読取手段によって公開鍵を読み出し、その公開鍵を受信側から送信側の複合機２０ｂに送信する（１）。公開鍵は、文書の送信要求の一部として送信される。送信要求には、目的の文書を特定する情報、公開鍵、文書の送信先アドレスなどが含まれる。
【００３４】
送信側の複合機２０ｂは、受信側の複合機２０ａから受信した公開鍵を用いて、平文を暗号化して暗号文にする（２）。この暗号文を送信側２０ｂから受信側２０ａに送信する（３）。暗号文のデータが第三者に盗まれても秘密鍵が無いため暗号文の復号化はできない。受信側の複合機２０ａは、先の公開鍵と対をなす秘密鍵を記録紙４０の無線タグ４１から読み出し、送信側の複合機２０ｂから受信した暗号文をこの秘密鍵を用いて復号化して平文にする（４）。受信側２０ａは、この平文を、記録紙４０に印刷する（５）。
このとき、印刷に用いる記録紙を、復号化に使用した秘密鍵を記憶している無線タグ４１の付加された記録紙４０に限定するとよい。たとえば、印刷を起動する際に、その印刷で給紙する記録紙に対して無線タグの読み取り動作を実行し、復号化に使用したものと同じ秘密鍵が読み出された場合に限り、印刷を実行するように制御する。
【００３５】
図４は、原稿５０に付加された無線タグ５１からデジタル署名で使用される１対の公開鍵と秘密鍵とを読み出し、その公開鍵と秘密鍵とを用いた電子データの送受信の動作を示している。送信側の複合機２０ｂの原稿台に載置された原稿５０の無線タグ５１から無線タグ読取手段によって公開鍵を読み出し、その公開鍵を送信側の複合機２０ｂから受信側の複合機２０ａに送信する（１）。また、送信側の複合機２０ｂは、無線タグ読取手段が同じ無線タグ５１から読み出した先の公開鍵と対をなす秘密鍵を用いて、平文を暗号化して暗号文にする（２）。この暗号文を送信側の複合機２０ｂから受信側の複合機２０ａに送信する（３）。
【００３６】
次に、受信側の複合機２０ａは、送信側の複合機２０ｂから受信した暗号文を、同じく送信側の複合機２０ｂから受信した公開鍵を用いて復号化して平文にする（４）。受信側の複合機２０ａは、この平文を印刷する（５）。正常な復号化により、公開鍵と対になる秘密鍵によって暗号化されたことが確認され、まさに平文が原稿５０から読み取った画像であることが証明される。
【００３７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００３８】
図４においては、原稿の無線タグから公開鍵と秘密鍵とを読み出し、原稿から取得した画像データを秘密鍵で暗号化して暗号文にし、この暗号文と公開鍵とを送信装置から受信装置に送信し、受信装置側で、暗号文を公開鍵で復号化するものを示したが、画像データからハッシュ関数を使ってダイジェストを生成し、そのダイジェストを秘密鍵で暗号化して暗号文にし、画像データと暗号文と公開鍵とを送信装置から受信装置に送信し、受信装置側で、画像データからハッシュ関数を使ってダイジェストを生成し、暗号文を公開鍵で復号化してもよい。
【００３９】
受信装置側は、生成したダイジェストと、復号化したダイジェストとを比較し、両者が完全一致すれば、画像データが改竄されていないことを確認することができる。また、画像データは、送信された公開鍵と対になる秘密鍵によって暗号化されたことを確認することができ、送信元の画像データ（原稿）を証明することができる。
【００４０】
実施の形態では、送信装置と受信装置の双方の機能を有する複合機２０を例に説明したが、複合機２０の構成の中で、暗号化手段の機能を果たすＲＯＭ２２、記録部２５、暗号文受信手段および公開鍵送信手段としての機能を果たすネットワークＩ／Ｆ部３０、無線タグ読取手段（無線タグリーダ３１、無線制御部３２）を備えることにより、安全かつ確実な電子データの送受信を行なうことができる印刷装置を構築してもよい。
【００４１】
同様に、暗号化手段の機能を果たすＲＯＭ２２、読取部２４、送信手段としての機能を果たすネットワークＩ／Ｆ部３０、無線タグ読取手段（無線タグリーダ３１、無線制御部３２）を備えることにより、安全かつ確実な電子データの送受信を行なうことができる原稿読取装置を構築してもよい。
【００４２】
無線タグリーダ３１を記録紙トレイに設けたものを例示したが、記録紙４０がセットされる箇所またはその近傍であれば、いずれの場所に無線タグリーダ３１を装着してもよい。たとえば、無線タグリーダ３１を記録紙トレイの本体や複合機２０の本体側に装着してもよく、また、記録紙を記録紙トレイから記録部２５に搬送するための記録紙搬送部に装着してもよい。このほかユーザが手に持って使用するハンディタイプの無線タグリーダとして構成してもよい。
実施の形態では、秘密鍵で復号化した画像が印刷される記録紙を先の復号化で使用した秘密鍵の読み出された無線タグが付加された記録紙に限定するように制御したが、他の記録紙に印刷可能に構成してもよい。
【図面の簡単な説明】
【００４３】
【図１】本発明の実施の形態に係わる電子データ送受信システムの構成を示すブロック図である。
【図２】本発明の実施の形態に係わる複合機の構成を示すブロック図である。
【図３】記録紙に付加された無線タグから読み出した１対の公開鍵と秘密鍵とを用いた電子データ送受信システムの動作を示す説明図である。
【図４】原稿に付加された無線タグから読み出した１対の公開鍵と秘密鍵とを用いた電子データ送受信システムの動作を示す説明図である。
【符号の説明】
【００４４】
１０…画像形成システム
１３…情報処理装置
１４…ＬＡＮ
１５…インターネット
２０…複合機
２１…ＣＰＵ
２２…ＲＯＭ
２３…ＲＡＭ
２４…読取部
２５…記録部
２６…ファクシミリ部
２７…表示部
２８…操作部
２９…画像処理部
３０…ネットワークＩ／Ｆ部
３１…無線タグリーダ（記録紙用）
３２…無線制御部（記録紙用）
３３…無線タグリーダ（原稿用）
３４…無線制御部（原稿用）
４０…記録紙
４１…無線タグ
５０…原稿
５１…無線タグ
【図１】
2006100916.tif 000003
【図２】
2006100916.tif 000004
【図３】
2006100916.tif 000005
【図４】
2006100916.tif 000006